(57)【要約】【課題】鋼製の柱部材に鋼製の梁部材を接合するための溶接手間を低減する。【解決手段】鋼製の柱部材と、前記柱部材の両側面に溶接された鋼板からなる一対のブラケット部材と、前記ブラケット部材に接合された鋼製の梁部材と、を有する柱梁接合構造。【選択図】図１
2018059373.tif 000002
【特許請求の範囲】
【請求項１】
鋼製の柱部材と、
前記柱部材の両側面に溶接された鋼板からなる一対のブラケット部材と、
前記ブラケット部材に接合された鋼製の梁部材と、
を有する柱梁接合構造。
【請求項２】
前記柱部材は、免震支持されている請求項１に記載の柱梁接合構造。
【請求項３】
前記一対のブラケット部材の間に補強プレートが設けられている請求項１又は２に記載の柱梁接合構造。
【発明の詳細な説明】
【技術分野】
【０００１】
本発明は、鋼製の柱部材に鋼製の梁部材を接合する柱梁接合構造に関する。
【背景技術】
【０００２】
鋼製の柱部材に鋼製の梁部材を接合する一般的な柱梁接合構造として、例えば、特許文献１に示すような、通しダイアフラムを用いた柱梁接合構造が挙げられる。
【０００３】
この柱梁接合構造では、角形鋼管からなる柱仕口部材の上下端面に通しダイアフラムを突合せ溶接により接合し、この通しダイアフラムの端面にＨ形鋼からなる梁部材のフランジの端面を突合せ溶接により接合している。
【０００４】
このように、通しダイアフラムを用いた柱梁接合構造においては、柱仕口部材と通しダイアフラム、及び通しダイアフラムと梁部材を突合せ溶接により接合しなければならないので、溶接手間が掛かってしまう。
【先行技術文献】
【特許文献】
【０００５】
【特許文献１】特開２０１５−１７２２６８号公報
【発明の概要】
【発明が解決しようとする課題】
【０００６】
本発明は係る事実を考慮し、鋼製の柱部材に鋼製の梁部材を接合するための溶接手間を低減することを課題とする。
【課題を解決するための手段】
【０００７】
第１態様の発明は、鋼製の柱部材と、前記柱部材の両側面に溶接された鋼板からなる一対のブラケット部材と、前記ブラケット部材に接合された鋼製の梁部材と、を有する柱梁接合構造である。
【０００８】
第１態様の発明では、柱部材の両側面にブラケット部材を溶接することにより、突合せ溶接を用いないで柱部材にブラケット部材を接合することができる。すなわち、鋼製の柱部材に鋼製の梁部材を接合するための溶接手間を低減することができる。
【０００９】
第２態様の発明は、第１態様の柱梁接合構造において、前記柱部材は、免震支持されている。
【００１０】
第２態様の発明では、柱部材を免震支持することによって、地震時に柱部材に発生する水平力を低減することにより、柱部材とブラケット部材との接合強度を小さくすることができる。
【００１１】
第３態様の発明は、第１又は第２態様の柱梁接合構造において、前記一対のブラケット部材の間に補強プレートが設けられている。
【００１２】
第３態様の発明では、補強プレートによってブラケット部材の曲げ耐力を高めることができる。
【発明の効果】
【００１３】
本発明は上記構成としたので、鋼製の柱部材に鋼製の梁部材を接合するための溶接手間を低減することができる。
【図面の簡単な説明】
【００１４】
【図１】本発明の実施形態に係る柱梁接合構造を示す正面図である。
【図２】図１のＡ−Ａ断面図である。
【図３】図１のＢ−Ｂ断面図である。
【図４】本発明の実施形態に係る柱梁接合構造のバリエーションを示す正面図である。
【図５】図４のＣ−Ｃ断面図である。
【図６】本発明の実施形態に係る柱梁接合構造のバリエーションを示す平面断面図である。
【図７】本発明の実施形態に係る柱梁接合構造のバリエーションを示す平面断面図である。
【図８】本発明の実施形態に係る柱梁接合構造のバリエーションを示す平面断面図である。
【発明を実施するための形態】
【００１５】
図を参照しながら、本発明の実施形態を説明する。まず、本発明の実施形態に係る柱梁接合構造について説明する。
【００１６】
図１、図１のＡ−Ａ断面図である図２、及び図１のＢ−Ｂ断面図である図３に示すように、本実施形態の柱梁接合構造１０は、角形鋼管からなる鋼製の柱部材１２と、鋼板としての平鋼からなるブラケット部材１４と、Ｈ形鋼からなる鋼製の梁部材１６と、を有して構成されている。
【００１７】
柱部材１２は、基礎部１８上に設置された積層ゴム支承からなる免震装置２０上に支持されている。すなわち、柱部材１２は、基礎部１８上に免震支持されている。
【００１８】
ブラケット部材１４は、柱部材１２の両側面に一対となって配置されている。ブラケット部材１４は、柱部材１２の両側面に隅肉溶接（隅肉溶接部２２）によって接合されている。
【００１９】
ブラケット部材１４の上部と下部とには、鋼製の補強プレート２４が設けられている。補強プレート２４は、一対のブラケット部材１４の間に設けられ、ブラケット部材１４及び柱部材１２に隅肉溶接等によって適宜接合されている。
【００２０】
梁部材１６は、対向して一対となって配置されている。また、梁部材１６は、ブラケット部材１４の端部と梁部材１６のウェブの端部とを、スプライスプレート２６を用いてハイテンションボルトによりボルト接合することによって、柱部材１２に接合されている。
【００２１】
次に、本発明の実施形態に係る柱梁接合構造の作用と効果について説明する。
【００２２】
本実施形態の柱梁接合構造１０では、図１、図２及び図３に示すように、柱部材１２の両側面にブラケット部材１４を隅肉溶接により接合することによって、突合せ溶接を用いないで柱部材１２にブラケット部材１４を接合することができる。すなわち、鋼製の柱部材１２に鋼製の梁部材１６を接合するための溶接手間を低減することができる。これにより、柱梁接合部２８の施工を容易に行うことができる。
【００２３】
また、本実施形態の柱梁接合構造１０では、図１に示すように、基礎部１８上に柱部材１２を免震支持することによって、地震時に柱部材１２（柱梁接合部２８）に発生する水平力を低減することにより、柱部材１２とブラケット部材１４との接合強度を小さくすることができる。
【００２４】
さらに、本実施形態の柱梁接合構造１０では、図１及び図２に示すように、補強プレート２４によってブラケット部材１４の曲げ耐力を高めることができる。
【００２５】
以上、本発明の実施形態について説明した。
【００２６】
なお、本実施形態では、図２に示すように、柱部材１２を角形鋼管とした例を示したが、柱部材１２は、鋼製の部材であればよい。例えば、柱部材１２は、Ｈ形鋼であってもよい。
【００２７】
さらに、本実施形態では、図２に示すように、梁部材１６をＨ形鋼とした例を示したが、梁部材１６は、鋼製の部材であればよく、平鋼や鋼管であってもよい。
【００２８】
例えば、図４の正面図、及び図４のＣ−Ｃ断面図である図５に示す柱梁接合構造３０のように、梁部材を平鋼としてもよい。
【００２９】
図４及び図５では、平鋼からなる梁部材３２が、対向して一対となって配置されている。また、梁部材３２は、ブラケット部材１４の端部と梁部材３２の端部とを、スプライスプレート２６を用いてハイテンションボルトによりボルト接合することによって、柱部材１２に接合されている。
【００３０】
また、梁部材３２の上部と下部とには、鋼製の補強プレート３４が設けられている。補強プレート３４は、一対の梁部材３２の端部の間に設けられ、梁部材３２に隅肉溶接等によって適宜接合されている。
【００３１】
このように、梁部材３２を平鋼にすれば、梁部材３２をＨ形鋼や鋼管とする場合に比べて、梁部材３２の軽量化を図ることができ、建物全体としての重量を軽くすることができる。
【００３２】
さらに、本実施形態では、図２に示すように、柱部材１２に梁部材１６を接合した例を示したが、図６の平面断面図、及び図７の平面断面図に示すように、柱部材１２に小梁３６を接合してもよい。図６には、Ｈ形鋼からなる小梁３６のウェブ３８と、柱部材１２の側面に取り付けられたガセットプレート４０とをボルト接合することによって、柱部材１２に小梁３６が接合されている例が示されている。
【００３３】
また、図７には、Ｈ形鋼からなる小梁３６のウェブ３８と、ブラケット部材１４の側面に取り付けられたガセットプレート４０とをボルト接合することによって、柱部材１２に小梁３６が接合されている例が示されている。
【００３４】
さらに、本実施形態では、図１に示すように、基礎部１８上に設置された免震装置２０上に柱部材１２を免震支持した例を示したが、免震装置２０を介さずに基礎部１８上に柱部材１２を支持してもよい。すなわち、柱部材１２は、基礎部１８上に免震支持されていなくてもよい。
【００３５】
また、本実施形態では、図１に示すように、ブラケット部材１４の端部と梁部材１６のウェブの端部とをスプライスプレート２６を用いてボルト接合することによって、梁部材１６を柱部材１２に接合した例を示したが、図８の平面断面図に示すように、柱部材１２の側面に隅肉溶接（隅肉溶接部２２）によって接合されたブラケット部材としてのガセットプレート４２の端部に、梁部材１６のウェブの端部をハイテンションボルトによりボルト接合することによって、梁部材１６を柱部材１２に接合してもよい。
【００３６】
以上、本発明の実施形態について説明したが、本発明はこうした実施形態に何等限定されるものでなく、本発明の要旨を逸脱しない範囲において、種々なる態様で実施し得ることは勿論である。
【符号の説明】
【００３７】
１０、３０  柱梁接合構造
１２  柱部材
１４  ブラケット部材
１６、３２  梁部材
２４、３４  補強プレート
【図１】
2018059373.tif 000003
【図２】
2018059373.tif 000004
【図３】
2018059373.tif 000005
【図４】
2018059373.tif 000006
【図５】
2018059373.tif 000007
【図６】
2018059373.tif 000008
【図７】
2018059373.tif 000009
【図８】
2018059373.tif 000010